(57)【要約】      （修正有）【課題】夜間などの周囲が暗いときに、自動車の側部が車線や駐車区画からはみ出しているかどうか容易に確認することができるサイドミラー用照明具の取付構造を提供する。【解決手段】サイドミラー用照明具１１は、自動車１のサイドミラー１０の下部に取り付けられており、取り付けられたサイドミラー１０と同じ側の自動車１の後輪４から自動車１の外側斜め後方にかけて、下向きに光を照射可能に構成されている。サイドミラー用照明具は、運転席に設けられた専用のスイッチで点灯／消灯するようになっている。また、サイドミラー用照明具は、運転席に設けられた専用の調整手段を使用して、電動で照射角度を任意に調整可能になっている。【選択図】図１
0003185063.tif 000002
【実用新案登録請求の範囲】
【請求項１】
自動車のサイドミラーに設けられ、前記サイドミラーと同じ側の前記自動車の後輪から前記自動車の外側斜め後方にかけて下向きに光を照射可能に構成されていることを特徴とするサイドミラー用照明具。
【考案の詳細な説明】
【技術分野】
【０００１】
本考案は、サイドミラー用照明具に関する。
【背景技術】
【０００２】
従来の自動車は、ヘッドライトで前方を照らし、バックするときにバックランプで後方を照らすようになっているが、自動車の側部近傍を照らすものはなかった。また、従来の自動車には、サイドミラーに方向指示器を取り付けたものはあるが（例えば、特許文献１参照）、サイドミラーに他の用途の照明具を取り付けたものはなかった。
【先行技術文献】
【特許文献】
【０００３】
【特許文献１】実開平７−４３６２２号公報
【考案の概要】
【考案が解決しようとする課題】
【０００４】
従来の自動車では、夜間などの周囲が暗いとき、ヘッドライトを点灯していても側方は照らされないため、走行中に車線や道路からはみ出していないかどうか確認するのが難しいという課題があった。また、駐車するときも、自動車の側部が駐車区画からはみ出していないかどうか確認するのが難しいという課題があった。バックするときにも、バックランプの光が自動車の影になってよく見えず、車線や駐車区画からはみ出しているかどうか確認するのが難しいという課題があった。
【０００５】
本考案は、このような課題に着目してなされたもので、夜間などの周囲が暗いときに、自動車の側部が車線や駐車区画からはみ出しているかどうか容易に確認することができるサイドミラー用照明具を提供することを目的とする。
【課題を解決するための手段】
【０００６】
上記目的を達成するために、本考案に係るサイドミラー用照明具は、自動車のサイドミラーに設けられ、前記サイドミラーと同じ側の前記自動車の後輪から前記自動車の外側斜め後方にかけて下向きに光を照射可能に構成されていることを特徴とする。
【０００７】
本考案に係るサイドミラー用照明具は、夜間などの周囲が暗いときに点灯することにより、自動車の後輪から外側斜め後方にかけて明るく照らすことができるため、走行中に車線や道路からはみ出していないかどうかを、サイドミラーで容易に確認することができる。また、駐車するときも、自動車の側部が駐車区画からはみ出していないかどうかを、目視またはサイドミラーで容易に確認することができる。バックするときにも、側部後方が明るく照らされるため、車線や駐車区画からはみ出しているかどうかを、目視またはサイドミラーで容易に確認することができる。
【０００８】
このように、本考案に係るサイドミラー用照明具は、自動車の側方から側部後方にかけてのサイドミラーや目視による視認性を高めることができ、事故を予防し、安全性を向上することができる。本考案に係るサイドミラー用照明具は、ヘッドライトと連動して点灯／消灯してもよく、専用のスイッチで点灯／消灯してもよく、センサで周囲の明るさを感知して自動で点灯／消灯してもよい。また、照射角度を任意に調整可能になっていてもよい。また、自動車のサイドミラーに一体的に取り付けられていてもよく、既存のサイドミラーに後付けで取り付けられていてもよい。
【０００９】
本考案に係るサイドミラー用照明具は、前記サイドミラーからの視認範囲を照射可能に、前記サイドミラーの角度調整に伴って照射範囲が移動するよう構成されていてもよい。この場合、サイドミラーから見える範囲を常に明るく照らすことができ、サイドミラーからの確認が常に容易である。また、サイドミラーの角度調整のたびに、わざわざ照射範囲の調整を行う必要がない。
【００１０】
本考案に係るサイドミラー用照明具は、下方から前記自動車の前輪にかけて光を照射可能であってもよい。この場合、自動車の前輪から後輪までの側部全体の近傍を明るく照らすことができ、自動車が車線や駐車区画からはみ出しているかどうかの確認を、さらに容易かつ確実に行うことができる
【考案の効果】
【００１１】
本考案によれば、夜間などの周囲が暗いときに、自動車の側部が車線や駐車区画からはみ出しているかどうか容易に確認することができるサイドミラー用照明具を提供することができる。
【図面の簡単な説明】
【００１２】
【図１】本考案の実施の形態のサイドミラー用照明具の使用状態を示す（ａ）平面図、（ｂ）右側面図である。
【考案を実施するための形態】
【００１３】
以下、図面に基づき本考案の実施の形態について説明する。
図１は、本考案の実施の形態のサイドミラー用照明具を示している。
図１に示すように、自動車のサイドミラー１０は、自動車１の運転席側ドア２および助手席側ドア３の窓の前方にそれぞれ取り付けられており、サイドミラー用照明具１１を有している。
【００１４】
各サイドミラー用照明具１１は、各サイドミラー１０の下部に取り付けられており、取り付けられたサイドミラー１０と同じ側の自動車１の後輪４から自動車１の外側斜め後方にかけて、下向きに光を照射可能に構成されている（図１中の一点鎖線で挟まれた範囲）。サイドミラー用照明具１１は、運転席に設けられた専用のスイッチで点灯／消灯するようになっている。また、サイドミラー用照明具１１は、運転席に設けられた専用の調整手段を使用して、電動で照射角度を任意に調整可能になっている。
【００１５】
次に、作用について説明する。
サイドミラー用照明具１１は、夜間などの周囲が暗いときに点灯することにより、自動車１の後輪４から外側斜め後方にかけて明るく照らすことができる。このため、走行中に車線や道路からはみ出していないかどうかを、サイドミラー１０で容易に確認することができる。また、駐車するときも、自動車１の側部が駐車区画からはみ出していないかどうかを、目視またはサイドミラー１０で容易に確認することができる。バックするときにも、側部後方が明るく照らされるため、車線や駐車区画からはみ出しているかどうかを、目視またはサイドミラー１０で容易に確認することができる。
【００１６】
このように、サイドミラー用照明具１１は、自動車１の側方から側部後方にかけてのサイドミラー１０や目視による視認性を高めることができ、事故を予防し、安全性を向上することができる。
【００１７】
なお、サイドミラー用照明具１１は、サイドミラー１０からの視認範囲を照射可能に、サイドミラー１０の角度調整に伴って照射範囲が移動するよう構成されていてもよい。この場合、サイドミラー１０から見える範囲を常に明るく照らすことができ、サイドミラー１０からの確認が常に容易である。また、サイドミラー１０の角度調整のたびに、わざわざ照射範囲の調整を行う必要がない。
【００１８】
また、図１（ｂ）に示すように、サイドミラー用照明具１１は、下方から自動車１の前輪５にかけての範囲（図１（ｂ）中の二点鎖線で挟まれた範囲）も、光を照射可能であってもよい。この場合、自動車１の前輪５から後輪４までの側部全体の近傍を明るく照らすことができ、自動車１が車線や駐車区画からはみ出しているかどうかの確認を、さらに容易かつ確実に行うことができる
【符号の説明】
【００１９】
１  自動車
２  運転席側ドア
３  助手席側ドア
４  後輪
５  前輪
１０  サイドミラー
１１  サイドミラー用照明具
【図１】
0003185063.tif 000003
【手続補正書】
【提出日】平成25年5月24日(2013.5.24)
【手続補正１】
【補正対象書類名】実用新案登録請求の範囲
【補正対象項目名】全文
【補正方法】変更
【補正の内容】
【実用新案登録請求の範囲】
【請求項１】
自動車のサイドミラーに設けられ、前記サイドミラーと同じ側の前記自動車の後輪から前記自動車の外側斜め後方にかけて下向きに光を照射可能に構成されていることを特徴とするサイドミラー用照明具の取付構造。
【手続補正３】
【補正対象書類名】明細書
【補正対象項目名】０００１
【補正方法】変更
【補正の内容】
【０００１】
本考案は、サイドミラー用照明具の取付構造に関する。
【手続補正４】
【補正対象書類名】明細書
【補正対象項目名】０００５
【補正方法】変更
【補正の内容】
【０００５】
本考案は、このような課題に着目してなされたもので、夜間などの周囲が暗いときに、自動車の側部が車線や駐車区画からはみ出しているかどうか容易に確認することができるサイドミラー用照明具の取付構造を提供することを目的とする。
【手続補正５】
【補正対象書類名】明細書
【補正対象項目名】０００６
【補正方法】変更
【補正の内容】
【０００６】
上記目的を達成するために、本考案に係るサイドミラー用照明具の取付構造において、サイドミラー用照明具は、自動車のサイドミラーに設けられ、前記サイドミラーと同じ側の前記自動車の後輪から前記自動車の外側斜め後方にかけて下向きに光を照射可能に構成されていることを特徴とする。
【手続補正６】
【補正対象書類名】明細書
【補正対象項目名】０００７
【補正方法】変更
【補正の内容】
【０００７】
本考案に係るサイドミラー用照明具の取付構造によれば、夜間などの周囲が暗いときにサイドミラー用照明具を点灯することにより、自動車の後輪から外側斜め後方にかけて明るく照らすことができるため、走行中に車線や道路からはみ出していないかどうかを、サイドミラーで容易に確認することができる。また、駐車するときも、自動車の側部が駐車区画からはみ出していないかどうかを、目視またはサイドミラーで容易に確認することができる。バックするときにも、側部後方が明るく照らされるため、車線や駐車区画からはみ出しているかどうかを、目視またはサイドミラーで容易に確認することができる。
【手続補正７】
【補正対象書類名】明細書
【補正対象項目名】０００８
【補正方法】変更
【補正の内容】
【０００８】
このように、本考案に係るサイドミラー用照明具の取付構造によれば、自動車の側方から側部後方にかけてのサイドミラーや目視による視認性を高めることができ、事故を予防し、安全性を向上することができる。サイドミラー用照明具は、ヘッドライトと連動して点灯／消灯してもよく、専用のスイッチで点灯／消灯してもよく、センサで周囲の明るさを感知して自動で点灯／消灯してもよい。また、照射角度を任意に調整可能になっていてもよい。また、サイドミラー用照明具は、自動車のサイドミラーに一体的に取り付けられていてもよく、既存のサイドミラーに後付けで取り付けられていてもよい。
【手続補正８】
【補正対象書類名】明細書
【補正対象項目名】０００９
【補正方法】変更
【補正の内容】
【０００９】
本考案に係るサイドミラー用照明具の取付構造において、サイドミラー用照明具は、前記サイドミラーからの視認範囲を照射可能に、前記サイドミラーの角度調整に伴って照射範囲が移動するよう構成されていてもよい。この場合、サイドミラーから見える範囲を常に明るく照らすことができ、サイドミラーからの確認が常に容易である。また、サイドミラーの角度調整のたびに、わざわざ照射範囲の調整を行う必要がない。
【手続補正９】
【補正対象書類名】明細書
【補正対象項目名】００１０
【補正方法】変更
【補正の内容】
【００１０】
本考案に係るサイドミラー用照明具の取付構造において、サイドミラー用照明具は、下方から前記自動車の前輪にかけて光を照射可能であってもよい。この場合、自動車の前輪から後輪までの側部全体の近傍を明るく照らすことができ、自動車が車線や駐車区画からはみ出しているかどうかの確認を、さらに容易かつ確実に行うことができる。
【手続補正１０】
【補正対象書類名】明細書
【補正対象項目名】００１１
【補正方法】変更
【補正の内容】
【００１１】
本考案によれば、夜間などの周囲が暗いときに、自動車の側部が車線や駐車区画からはみ出しているかどうか容易に確認することができるサイドミラー用照明具の取付構造を提供することができる。
【手続補正１１】
【補正対象書類名】明細書
【補正対象項目名】００１３
【補正方法】変更
【補正の内容】
【００１３】
以下、図面に基づき本考案の実施の形態について説明する。
図１は、本考案の実施の形態のサイドミラー用照明具の取付構造を示している。
図１に示すように、自動車のサイドミラー１０は、自動車１の運転席側ドア２および助手席側ドア３の窓の前方にそれぞれ取り付けられており、サイドミラー用照明具１１を有している。